【事件の表示】
　特願２００９−１６２４５１「液晶表示パネル」拒絶査定不服審判事件〔平成２３年　１月２７日出願公開、特開２０１１−　１７８８７〕について、次のとおり審決する。
【結　論】
　本件審判の請求は、成り立たない。
【理　由】
１　手続の経緯・本願発明
 
　本願は、平成２１年７月９日の出願であって、平成２５年３月２６日付けで手続補正がなされたところ、同年６月３日付けで拒絶査定がなされ、これに対し、同年９月１０日に拒絶査定不服審判請求がなされると同時に手続補正がなされ、その後、当審において平成２６年６月１０日付けで拒絶理由が通知され、同年８月１３日付けで手続補正がなされたものである。
 
　そして、本願の請求項に係る発明は、平成２６年８月１３日付け手続補正後の明細書、特許請求の範囲及び図面の記載からみて、その特許請求の範囲の請求項１〜５に記載された事項によって特定されるものと認められるところ、その請求項１に係る発明は次のものである。
  
　「液晶層を挟持して対向配置された一対の基板を有し、前記一対の基板の一方には、表示領域に形成された複数のサブ画素のそれぞれに複数のスリット状開口が並設された上電極と、前記上電極と絶縁膜を介して前記基板側に形成された下電極とを備え、他方の基板には前記液晶層側にシールド電極が形成された液晶表示パネルにおいて、
　隣接する前記スリット状開口のピッチをＰとし、前記スリット状開口のスリット幅をＳとし、隣接する前記スリット状開口間の前記上電極の幅をＬ（＝Ｐ−Ｓ）とし、Ｐを一定値とするとき、Ｌ／Ｐが０．４５〜０．５５であり、前記上電極及び前記下電極は、透明導電性材料からなる電極である液晶表示パネル。」（以下「本願発明」という。）
  
２　引用刊行物の記載事項
 
　当審において通知した拒絶の理由に引用した、本願の出願日前に頒布された刊行物である特開２００８−１８５７８５号（以下「引用刊行物」という。）には、図とともに下記の事項が記載されている。
　
（１）「【００１４】
　
入力機能付液晶表示装置１
複数のサブ画素領域がマトリックス状に配置されている。
　ＴＦＴ素子２２は、ソースがデータ線２３に接続され、ゲートが走査線２４に接続され、ドレインが画素電極２１に接続されている。」
　
（２）「【００１７】
　次に、入力機能付液晶表示装置１の詳細な構成について、図３及び図４を参照しながら説明する。なお、図３では、対向基板１２の図示を省略している。また、図３において、平面視でほぼ矩形状の
サブ画素領域
　素子基板１１は、図４に示すように、例えばガラスや石英、プラスチックなどの透光性材料からなる
基板本体３１
液晶層１３
下地保護膜３２
ゲート絶縁膜３３
第１層間絶縁膜３４
第２層間絶縁膜３５
第３層間絶縁膜３６
配向膜３７
　また、素子基板１１は、下地保護膜３２の内側の表面に配置された半導体層４１と、ゲート絶縁膜３３の内側の表面に配置された走査線２４と、第１層間絶縁膜３４の内側の表面に配置されたデータ線２３及び接続電極４２と、第２層間絶縁膜３５の内側の表面に配置された
共通電極４３
画素電極２１
　
（３）「【００２１】
　
共通電極４３
ＩＴＯ（酸化インジウムスズ）などの透光性導電材料で構成されている
　また、共通電極４３には、例えば液晶層１３の駆動に用いられる所定の一定の電圧あるいは０Ｖ、または所定の一定の電位とこれと異なる他の所定の一定の電位とが周期的（フレーム期間ごとまたはフィールド期間ごと）に切り替わる信号が印加される。」
【００２２】
　
画素電極２１
平面視でほぼ梯子形状
ＩＴＯなどの透光性導電材料で構成されている
画素電極２１は、平面視で矩形の枠状の枠部２１ａと、ほぼサブ画素領域の短軸方向（Ｙ軸方向）に延在すると共にサブ画素領域の長軸方向（Ｘ軸方向）で間隔をあけて複数配置された帯状部２１ｂとを備えている
　
（４）「【００２４】
　一方、対向基板１２は、図４に示すように、例えばガラスや石英、プラスチックなどの透光性材料で構成された
基板本体５１
基板本体５１の内側（液晶層１３側）の表面に順次積層されたシールド電極（シールド導体）５２、遮光膜５３、カラーフィルタ層５４及び配向膜５５
　シールド電極５２は、対向基板１２の内側の表面の全面に形成されており、例えばＩＴＯなどの透光性導電材料で構成されている。そして、シールド電極５２は、液晶層１３などを介して画素電極２１及び共通電極４３と重なっている。また、シールド電極５２は、そのシート抵抗が例えば１ｋΩ／ｓｑ以下となっている。
　また、シールド電極５２は、対向基板１２の端部において導電材料で構成された基板間導通部材（図示略）を介して素子基板１１に設けられた配線部（図示略）との導通が確保されている。そして、シールド電極５２は、この配線部を介してほぼ一定の電位を示している。」
                                        
（５）図２〜４は次のものである。
（６）上記（２）の記載をふまえて図４をみると、下から、基板本体３１、下地保護膜３２、ゲート絶縁膜３３、第１層間絶縁膜３４、第２層間絶縁膜３５、共通電極４３、第３層間絶縁膜３６、画素電極２１、配向膜３７、液晶１３、配向膜５５、カラーフィルタ層５４、遮光膜５３、シールド電極５２、基板本体５１の順に配置されていることが見て取れる。　
　
（７）上記（１）、（３）の記載をふまえて図２、３をみると、画像表示領域に配置された複数のサブ画素領域毎に画素電極２１がそれぞれ設けられていることが見て取れる。　
　
（８）上記（３）の記載をふまえて図２をみると、【００２２】段落に記載の「画素電極２１」は「梯子形状」であるから、帯状部２１ｂの間に「複数のスリット状開口が並設されたもの」であることが見て取れる。
　
（９）上記（１）ないし（８）の記載を総合すると、引用刊行物には、次の発明（以下「引用発明」という。）が記載されていると認められる。
 
　「複数のサブ画素領域を有する入力機能付液晶表示装置であって、下から、基板本体３１、下地保護膜３２、ゲート絶縁膜３３、第１層間絶縁膜３４、第２層間絶縁膜３５、共通電極４３、第３層間絶縁膜３６、画素電極２１、配向膜３７、液晶１３、配向膜５５、カラーフィルタ層５４、遮光膜５３、シールド電極５２、基板本体５１の順に配置され、複数のスリット状の開口部が併設された上記画素電極２１は、複数のサブ画素領域毎にそれぞれ設けられ、上記画素電極２１、上記共通電極４３は透光性導電材料で構成されている入力機能付液晶表示装置。」
　
３　対比
 
　本願発明と引用発明を対比する。
 　
（１）引用発明の「入力機能付液晶表示装置」、「画像表示領域」、「サブ画素領域」、「『基板本体３１』及び『基板本体５１』」、「基板本体３１」、「基板本体５１」、「共通電極４３」、「第３層間絶縁膜３６」、「画素電極２１」、「液晶１３」、「シールド電極５２」、「透光性導電材料」は、それぞれ本願発明の「液晶表示パネル」、「表示領域」、「サブ画素」、「一対の基板」、「一対の基板の一方」、「他方の基板」、「下電極」、「絶縁膜」、「上電極」、「液晶層」、「シールド電極」、「透明導電性材料」に相当する。　
　
（２）よって、本願発明と引用発明とは、
「液晶層を挟持して対向配置された一対の基板を有し、前記一対の基板の一方には、表示領域に形成された複数のサブ画素のそれぞれに複数のスリット状開口が並設された上電極と、前記上電極と絶縁膜を介して前記基板側に形成された下電極とを備え、他方の基板には前記液晶層側にシールド電極が形成された液晶表示パネルにおいて、
　前記上電極及び前記下電極は、透明導電性材料からなる電極である液晶表示パネル。」
　の点で一致し、以下の点で相違するものと認められる。 
　
　本願発明は、「隣接する前記スリット状開口のピッチをＰとし、前記スリット状開口のスリット幅をＳとし、隣接する前記スリット状開口間の前記上電極の幅をＬ（＝Ｐ−Ｓ）とし、Ｐを一定値とするとき、Ｌ／Ｐが０．４５〜０．５５」であるのに対し、引用発明は、その点につき、明らかでない点（以下「相違点」という。）。
　
４　判断
 
　上記相違点につき検討する。
  
　引用発明は、本願発明と同様に、上電極（画素電極２１）に複数のスリット状開口を並設したものであるから、隣接する前記スリット状開口のピッチをＰとし、前記スリット状開口のスリット幅をＳとし、隣接する前記スリット状開口間の前記上電極の幅をＬ（＝Ｐ−Ｓ）とし、Ｐを一定値とするとき、ある一定の範囲の値のＬ／Ｐの比率を備えるものである。
　そして、「Ｌ／Ｐ」の比率の値をどの程度にするかは、液晶表示パネルの諸特性を考慮しつつ、当業者が所望により適宜定める程度のものであるところ、本願発明において、「Ｌ／Ｐが０．４５〜０．５５」とした点に格別の技術的意義や臨界的意義を有するものではない。したがって、引用発明において、上記相違点に係る本願発明の構成となすことは当業者が所望により適宜容易になし得る程度の設計的事項である。
  
　そして、本願発明によってもたらされる効果は、引用刊行物に記載された発明から当業者が予測し得る程度のものである。
  
５　むすび
 
　以上のとおり、本願発明は、引用刊行物に記載された発明に基いて当業者が容易に発明をすることができたものであるから、特許法第２９条第２項の規定により特許を受けることができない。